(57)【要約】【課題】積層されたカジノチップの群から必要枚数を取り分けようとしたたときに、瞬間的に上下に隣接するカジノチップがくっついたりすることを防止する。【解決手段】カジノチップ１０は、合成樹脂から形成されるボディー部３０の上面３２及び下面３３の表面粗さＲａが１〜５μｍの範囲であり、好ましくは１〜４μｍの範囲である。カジノチップを積層すると、ボディー部の上面又は下面が、その上方又は下方に隣接するカジノチップのボディー部の下面又は上面と接触するが、これらの面の表面粗さが上記の範囲であることにより、積層方向に隣接する面同士が点接触となり、何らかの原因でそれらの間に多少の水分が付着していても、上下に隣接するカジノチップがくっついたりすることを防止できる。その結果、積層状態のカジノチップから必要枚数を取り分けることが容易で速やかに行うことができる。【選択図】  図２
0003205092.tif 000002
【実用新案登録請求の範囲】
【請求項１】
重り部材と、この重り部材の周囲に一体化されるボディー部とを備えたカジノチップであって、
前記ボディー部が、合成樹脂から成形されていると共に、前記ボディー部の上面及び下面の表面粗さＲａが１〜５μｍの範囲であることを特徴とするカジノチップ。
【請求項２】
前記表面粗さＲａが２〜４μｍの範囲である請求項１記載のカジノチップ。
【請求項３】
前記重り部材は、厚み方向に貫通する複数の貫通穴を有する板状に形成されており、
前記合成樹脂が、前記重り部材の表面、裏面及び周面を被覆していると共に、前記重り部材の貫通穴内にも充填されている請求項１又は２記載のカジノチップ。
【請求項４】
前記ボディー部を構成する前記合成樹脂が、熱可塑性樹脂４０〜６０重量％、無機充填剤３０〜６０重量％を含有してなる熱可塑性樹脂組成物である請求項１〜３のいずれか１に記載のカジノチップ。
【請求項５】
さらに、識別手段を有する請求項１〜４のいずれか１に記載のカジノチップ。
【請求項６】
前記ボディー部又は前記ボディー部の外面に設けられる被覆シールが、蛍光材料を含んでおり、前記蛍光材料が前記識別手段として用いられる請求項５記載のカジノチップ。
【請求項７】
前記ボディー部又は前記ボディー部の外面に設けられる被覆シールが、示温材料を含んでおり、前記示温材料が前記識別手段として用いられる請求項５記載のカジノチップ。
【請求項８】
カジノチップを洗浄する洗浄部を有するカジノチップの洗浄装置であって、
適宜位置に設けられた、所定の蛍光材料に反応する光を照射する照射部と、
洗浄対象の前記カジノチップが、前記照射部からの照射光に反応して発光するか否かを判定する判定手段と
を有することを特徴とするカジノチップの洗浄装置。
【請求項９】
カジノチップを洗浄する洗浄部を有するカジノチップの洗浄装置であって、
前記洗浄部に、所定の示温材料を変色させることができる所定以上の温度の洗浄水を供給する温水供給手段と、
洗浄対象の前記カジノチップが、前記洗浄水によって加温されて変色するか否かを判定する判定手段と
を有することを特徴とするカジノチップの洗浄装置。
【考案の詳細な説明】
【技術分野】
【０００１】
本考案は、カジノ施設でゲームを行う際に使用されるカジノチップ及びカジノチップの洗浄装置に関する。
【背景技術】
【０００２】
カジノ施設で用いられるカジノチップとしては、例えば、特許文献１に示されたものが知られている。このカジノチップは、中央部に重り部材を有し、その周囲に合成樹脂材料から形成されたボディー部を一体化させたものである。具体的には、ボディー部を射出成形するに当たり、平面視で円形に形成した重り部材の表面及び裏面の外周縁に、ボディー部を構成する合成樹脂材料を被覆して一体化し、すなわち、重り部材をボディー部の内周縁によって挟み込んで一体化し、重り部材がボディー部から離脱しないように保持している。また、ボディー部は、装飾性を考慮して複数色の合成樹脂材料が射出されて形成されている。すなわち、まず、一次射出工程により、内周縁を重り部材の各外表面に積層させ、重り部材を保持するための環状ベース部を形成する。この際、環状ベース部は、重り部材に積層される内周縁より外側の範囲では、該内周縁と重り部材とを含んだ厚みよりも少なくとも一部が薄く形成されており、この薄く形成された部位に、二次射出工程を実施し、環状ベース部の内周縁と同じ高さとなるように、他の色の合成樹脂材料を射出してモールドし、これにより複数色（この場合は二色）のボディー部を形成している。
【０００３】
特許文献１に示されたカジノチップは、カジノで使用されるという性質上、ボディー部の素材も比較的高価なものが用いられている。例えば、顔料などを除いて、ＡＢＳ樹脂をほぼ１００％、又は、ポリアミドをほぼ１００％使用して成形している。これらの材料を用いた場合には、風合いがよく、高い質感が得られる共に、チップを床やテーブル上に落下させた際などの音が、比較的低温で重厚感のある印象を与えるが、高価であることが大きな欠点となっている。
【０００４】
この点に鑑み、本出願人は、特許文献２に開示のコイン型チップを提案している。このコイン型チップは、ボディー部として、熱可塑性樹脂４０〜６０重量％、無機充填剤３０〜６０重量％を含有してなる熱可塑性樹脂組成物を用い、熱可塑性樹脂の含有量を高め、無機充填材の含有量を低減したものを用いている。
【先行技術文献】
【特許文献】
【０００５】
【特許文献１】欧州特許第４４４，３７３号明細書
【特許文献２】実用新案登録第３１２３２１０号公報
【考案の概要】
【考案が解決しようとする課題】
【０００６】
特許文献２に示されたコイン型チップによれば、上記の構成とすることで、特許文献１に開示のものよりも低コストでありながら、高級感のある風合い、質感、触感、重厚感等が得られるという特徴を有している。よって、カジノチップとして使用するのに適している。その一方、カジノチップは、ルーレット、各種カードゲーム等において、複数枚積み上げる形態で使用されることが多い。そして、積み上げられた形態のカジノチップの群から、必要枚数を速やかに所定の位置に移動させることが求められる。よって、カジノチップは、高級感を出すために滑らかな手触り感が求められる一方で、複数枚積み上げた状態から必要枚数を速やかに取り分けて移動させる場合には、積層されているカジノチップ同士が速やかに剥がれる必要がある。積層されたカジノチップ同士の接触面があまりに滑らかな場合、高級感の点で優れていても、例えば、室内の湿気、飲料カップについた水滴等、何らかの原因でわずかな水分が付着しただけで、所定のカジノチップを取ろうとしたときに、その下のカジノチップが瞬間的にくっついて動いたりするなど、スムーズな取り扱いに支障を来す場合がある。
【０００７】
また、カジノチップは適宜のタイミングで洗浄装置で洗浄されるが、十分に乾ききる前にカジノチップ同士を重ねた場合、接触面の平滑度が高いと両者が密着して剥がれにくい。
【０００８】
また、カジノチップは、客や従業員が見つからないように持ち出してしまうことがある。そのようなことを防止するために、カジノチップに識別手段を設けておき、例えば、ＲＦＩＤを内蔵させるなどして、カジノ施設の出入り口付近にチェック装置を設置し、持ち出しを検出することなども行われているが、これだけでは万全を期しがたく、このように不正に持ち出されたカジノチップが他のカジノ施設に持ち込まれる場合がある。しかし、チェック装置は出入り口付近のみに設けられていることが多く、それを通過して施設内に入ってしまえば、不正に持ち込まれたカジノチップの発見は困難となる。
【０００９】
本考案は上記した点に鑑みなされたものであり、積み上げた状態から必要枚数を取り分ける際等においてスムーズに取り扱うことができるカジノチップを提供することを課題とする。また、本考案は、それに加えて、カジノチップを洗浄するタイミングで不正なものか否かを判別できるカジノチップ並びにその洗浄装置を提供することを課題とする。
【課題を解決するための手段】
【００１０】
上記課題を解決するため、本考案のカジノチップは、
重り部材と、この重り部材の周囲に一体化されるボディー部とを備えたカジノチップであって、
前記ボディー部が、合成樹脂から成形されていると共に、前記ボディー部の上面及び下面の表面粗さＲａが１〜５μｍの範囲であることを特徴とする。
【００１１】
前記表面粗さＲａが２〜４μｍの範囲であることが好ましい。
前記重り部材は、厚み方向に貫通する複数の貫通穴を有する板状に形成されており、
前記合成樹脂が、前記重り部材の表面、裏面及び周面を被覆していると共に、前記重り部材の貫通穴内にも充填されていることが好ましい。
前記ボディー部を構成する前記合成樹脂が、熱可塑性樹脂４０〜６０重量％、無機充填剤３０〜６０重量％を含有してなる熱可塑性樹脂組成物であることが好ましい。
【００１２】
さらに、識別手段を有することが好ましい。
前記ボディー部又は前記ボディー部の外面に設けられる被覆シールが、蛍光材料を含んでおり、前記蛍光材料が前記識別手段として用いられることが好ましい。
前記ボディー部又は前記ボディー部の外面に設けられる被覆シールが、示温材料を服含んでおり、前記示温材料が前記識別手段として用いられることが好ましい。
【００１３】
また、本考案のカジノチップの洗浄装置は、
カジノチップを洗浄する洗浄部を有するカジノチップの洗浄装置であって、
適宜位置に設けられた、所定の蛍光材料に反応する光を照射する照射部と、
洗浄対象の前記カジノチップが、前記照射部からの照射光に反応して発光するか否かを判定する判定手段と
を有することを特徴とする。
【００１４】
また、本考案のカジノチップの洗浄装置は、
カジノチップを洗浄する洗浄部を有するカジノチップの洗浄装置であって、
前記洗浄部に、所定の示温材料を変色させることができる所定以上の温度の洗浄水を供給する温水供給手段と、
洗浄対象の前記カジノチップが、前記洗浄水によって加温されて変色するか否かを判定する判定手段と
を有することを特徴とする。
【考案の効果】
【００１５】
本考案のカジノチップは、合成樹脂から形成されるボディー部の上面及び下面の表面粗さＲａが１〜５μｍの範囲であり、好ましくは１〜４μｍの範囲である。各種ゲームにおいて、カジノチップを積層すると、ボディー部の上面又は下面が、その上方又は下方に隣接するカジノチップのボディー部の下面又は上面と接触するが、これらの面の表面粗さが上記の範囲であることにより、積層方向に隣接する面同士が点接触となり、何らかの原因でそれらの間に多少の水分が付着していても、必要枚数を取り分けようとしたたときに瞬間的に上下に隣接するカジノチップがくっついたりすることを防止できる。その結果、積層状態のカジノチップから必要枚数を取り分けることが容易で速やかに行うことができる。
【００１６】
また、本考案のカジノチップは、識別手段を有することが好ましく、特に、蛍光材料や示温材料を含んだ構成であることが好ましい。洗浄装置として所定の蛍光材料に反応する光を照射する照射部を有するものや、所定の示温材料が反応する所定以上の温度の洗浄水を使用するものを用いることで、洗浄中に当該カジノチップの真偽を判別することができる。また、蛍光材料や示温材料は低コストで利用できるし、洗浄装置にそれらを反応させる手段（蛍光材料用の照射部、所定以上の温度の洗浄水を供給する温水供給手段）を設けることもそれほどコストがかかるものではないため、このような手段を設けても洗浄装置のコストが大幅にアップすることもない。
【図面の簡単な説明】
【００１７】
【図１】本考案の一の実施形態に係るカジノチップの製造工程を説明するための図である。
【図２】上記実施形態のカジノチップを示す斜視図でる。
【図３】図２のＡ−Ａ線断面図である。
【図４】図４（ａ）は、蛍光材料を検出する手段を有する洗浄装置の一例を示した模式図であり、図４（ｂ）は、示温材料を検出する手段を有する洗浄装置の一例を示した模式図である。
【考案を実施するための形態】
【００１８】
以下、本考案の実施形態を図面に基づいて更に詳しく説明する。本実施形態のカジノチップ１０を製造するには、まず、板状の重り部材２０を準備する（図１（ａ）参照）。重り部材２０は、鉄、真ちゅう、銅等からなる金属、あるいは非鉄金属粉末を混合した合成樹脂材料などから形成することができるが、価格及び製造工程に鑑みると、金属を用いることが好ましい。重り部材２０は、重量感、高級感を出すために用いられるが、重過ぎると取り扱い上の不便を来すため、後述するボディー部３０を合わせた総重量で、５〜２０ｇの範囲、好ましくは８〜１６ｇの範囲となるような重さが選択される。
【００１９】
重り部材２０の形状は限定されるものではなく、平面視で略円形のものや略方形のもの等を用いることができるが、通常は略円形のものが使用される。重り部材２０には、厚み方向に貫通する貫通穴２１が複数形成されている。本実施形態では、円周方向に沿ってほぼ均等に形成されている。また、重り部材２０には、２つのガイド孔２３が形成されている（図１（ａ）参照）。そして、成形用の型５０として、このガイド孔２３に対応する位置にガイドピン５１を備えるものを用いることにより、ガイド孔２３がガイドピン５１に嵌合するように配置すれば、型５０内における重り部材２０の位置が安定する。
【００２０】
本実施形態のカジノチップ１０を製造するには、まず、上記した重り部材２０を用い、ガイド孔２３を型５０に設けたガイドピン５１に嵌合させ、該重り部材２０を型５０内にセットする。次に、合成樹脂を型５０内に射出する。好ましくは、熱可塑性樹脂４０〜６０重量％、無機充填剤３０〜６０重量％を含有してなる熱可塑性樹脂組成物、より好ましくは、熱可塑性樹脂４０〜６０重量％、無機充填剤３０〜５８重量％を含有してなる熱可塑性樹脂組成物、さらに好ましくは熱可塑性樹脂４０〜５０重量％、無機充填剤４０〜５８重量％を含有してなる熱可塑性樹脂組成物を射出する。ボディー部３０を形成する射出工程は、１回のみでもよいが、装飾性を高めるため、複数回（通常、２回若しくは３回）の射出工程を実施するようにしてもよい。例えば、一次射出工程においては、まず、重り部材２０を、貫通穴２１が形成された範囲より内側の表面及び裏面上に熱可塑性樹脂組成物が流れ込まないように型５０内にセットし、射出する。射出された熱可塑性樹脂組成物は、重り部材２０の周面を被覆すると共に、表面及び裏面の端縁付近を被覆し、環状ベース部３０Ａが形成される（図１（ｃ）参照）。
【００２１】
一次射出工程で形成される環状ベース部３０Ａは、型の形状によって、例えば、図１（ｃ）に示したように、該環状ベース部３０Ａに、適宜形状の凹部３０Ｂが円周方向に形成される。次に、二次射出工程においては、貫通穴２１が形成された範囲より内側の表面及び裏面と凹部３０Ｂに一次射出工程とは異なる色の顔料を混合した上記熱可塑性樹脂組成物を射出し、二次射出成形被覆部３０Ｃを形成する。これにより、重り部材２０の表面及び裏面、並びに周面の全てが上記環状ベース部３０Ａと二次射出成形被覆部３０Ｃとからなるボディー部３０によって被覆されることになる（図２及び図３参照）。このとき、熱可塑性樹脂組成物は、重り部材１０に形成された貫通穴２１を介して表面及び裏面の両方に行き渡る。この結果、熱可塑性樹脂のみで成形する場合と比較して、射出時の流動性に劣る材料でありながら、重り部材２０の表裏面に行き渡り易く、成形が容易であると共に、より高い寸法精度を得やすい。なお、図２及び図３において、ボディー部３０を形成する二次射出成形被覆部３０Ｃは、環状ベース部３０Ａを形成した部分に積層される部分と、重り部材２０の表面及び裏面を被覆する部分との間に僅かな段差３１が作られるように厚さ調整して成形されている。これは、図３に示したように、重り部材２０の表面及び裏面を被覆する部分に、装飾用の被覆シール４０を貼着するためである。なお、被覆シール４０を貼らない場合には、かかる段差３１を有しない構造とすることもできる。
【００２２】
ボディー部３０を形成する熱可塑性樹脂組成物の上記熱可塑性樹脂としては、ポリエチレン、ポリプロピレン、ポリスチレン、ポリアミド、ポリカーボネート、ＡＢＳ樹脂からなる群から選ばれるいずれか一種又はそれらの二種以上の混合物を用いることが好ましい。また、無機充填剤としては、硫酸バリウム、炭酸カルシウムからなる群から選ばれるいずれか一種又はそれらの混合物を用いることが好ましい。
【００２３】
ここで、本実施形態のカジノチップ１０を積層した際に、上方又は下方のカジノチップ１０に接触する面であるボディー部３０の上面３２及び下面３３の表面粗さは以下のように設定されている。なお、ボディー部３０の上面３２及び下面３３は、本実施形態のように段差３１を有する構造では、該段差３１の外方に位置する二次射出成形被覆部３０Ｃ及び環状ベース部３０Ａの上側に位置する面と下側に位置する面のことである。
【００２４】
すなわち、ボディー部３０の上面３２及び下面３３の表面粗さ（算術平均粗さ（ＪＩＳ  Ｂ０６０１  （１９９４））Ｒａが、１〜５μｍの範囲であることが好ましく、２〜４μｍの範囲であることがより好ましい。この範囲を下回る場合には、上下に接触する面同士の密着性が高くなる。特に、カジノチップ１０に何らかの水分が付着している場合においては密着性がより高くなり、瞬間的に上下に隣接するカジノチップがくっつくなど取り扱いにくくなる。また、上記範囲を上回る場合には、積層した際の安定性が不十分となり、カジノチップ１０としての手触り感、高級感も損なわれる。
【００２５】
また、カジノチップ１０は、ＲＦＩＤ、磁気インピーダンス素子（アモルファスワイヤ等）等の識別手段を内蔵させることが好ましい。例えば、段差３１の部位にこれらを配置し、その上を被覆シール４０で覆ったりすることができる。また、ボディー部３０と一体成形により内蔵させることもできる。カジノ施設の出入り口等にこれらを検出する検出装置を設けておけば、カジノチップ１０の持ち出しを検出できる。また、ボディー部３０又は被覆シール４０が、識別手段としての蛍光材料もしくは示温材料を含んでいる構成とすることもできる。例えば、ボディー部３０の上面３２及び下面３３にこれらを塗布したり、被覆シール４０の外面に塗布したり、あるいは、ボディー部３０や被覆シール４０の成形時にこれらを混合して成形したりすることができる。
【００２６】
識別手段として蛍光材料を含む構成の場合、蛍光材料に反応する光を照射して、当該カジノチップ１０の真偽を判定できる。例えば、蛍光材料としては、特開２００５−２４２６５４号公報に開示されている、波長５００ｎｍ〜７８０ｎｍ程度の励起光で励起し、波長８４０ｎｍ〜１１００ｎｍ程度の赤外線領域の蛍光を示すものを用いることができる。また、示温材料を含む構成の場合には、所定の温度に加温することにより、当該示温材料が変色し、それにより真偽判定を行うことができる。
【００２７】
ところで、カジノチップ１０は、使用による汚れを落とすため、適宜のタイミングで洗浄される。そこで、カジノチップ１０の真偽判定を容易に行うために、カジノチップ１０の洗浄装置に上記した識別手段を検出する機構を設けておくことが好ましい。図４（ａ）は、そのような洗浄装置１００の一例を示したものであり、カジノチップの投入部１０１、排出部１０２、投入部１０１及び排出部１０２間に設けられたコンベア等の搬送部１０３、搬送部１０３の中途に設けられた洗浄部１０４を有している。また、投入部１０１から排出部１０２までの間の適宜位置に、本実施形態では、洗浄部１０４と排出部１０２との間における搬送部１０３の上方に照射部１０５が設けられている。照射部１０５としては、例えば、上記の赤外波長領域の蛍光を示す蛍光材料に対して、中心波長が可視波長領域（例えば、５００ｎｍ〜７８０ｎｍ程度）の光を照射する発光ダイオードが用いられる。
【００２８】
これにより、カジノチップ１０を投入部１０１から投入すると、搬送部１０３で搬送され、その途中の洗浄部１０４で洗浄され、その後、照射部１０５から光が照射される。カジノチップ１０が識別手段として蛍光材料を含む場合には、この照射光によって発光するため、真偽を判定できる。所定の発光を呈するか否かは、例えば、赤外波長領域の光を受光する受光手段１０６を照射部１０５付近に設け、該受光手段１０６の電気信号の検出結果をコンピュータ１０７により解析して自動判定することができる。図４（ａ）に示した態様では、照射部１０５、受光手段１０６及びコンピュータ１０７が請求項に示した判定手段に相当する。蛍光材料としては、紫外線や可視光によって励起して可視光領域の光を発生するもの等を用いることももちろん可能であり、発光の有無を目視により判定することも可能である。なお、洗浄されたカジノチップ１０は排出部１０２より外部に排出されて再利用に供される。
【００２９】
図４（ｂ）は、洗浄装置１００の他の例を示したものであり、洗浄部１０４に、所定温度の温水を供給する温水供給手段１０８を接続した構造である。カジノチップ１０が示温材料として例えば６０℃で変色するものを含んでいる場合、温水供給手段１０８を用いて洗浄部１０４に供給される洗浄水を６０℃以上にする。温水供給手段１０８としては、所定以上の温度の温水を噴出する手段であってもよいし、洗浄部１０４内に貯留されている洗浄水を沸かす手段であってもよい。これにより、投入部１０１から投入されたカジノチップ１０は、洗浄部１０４において所定以上の温度の洗浄水で洗浄され、所定の示温材料を含んでいると所定の色に変色する。なお、示温材料としては、使用時において元の色に戻るように可逆性のものを用いることが好ましい。そして、カジノチップ１０が変色したか否かは目視により判定することもできるが、例えば、洗浄部１０４と排出部１０２との間に、カメラ１０９を設置しておき、カメラ１０９により撮影された画像データをコンピュータ１１０によって解析して所定の色に変色したか否かを自動判定する構成とすることもできる。この図４（ｂ）に示した態様では、カメラ１０９とコンピュータ１１０が請求項に示した判定手段に相当する。
【符号の説明】
【００３０】
１０  カジノチップ
２０  重り部材
３０  ボディー部
３２  上面
３３  下面
１００  洗浄装置
【図１】
0003205092.tif 000003
【図２】
0003205092.tif 000004
【図３】
0003205092.tif 000005
【図４】
0003205092.tif 000006
【手続補正書】
【提出日】平成28年4月27日(2016.4.27)
【手続補正１】
【補正対象書類名】実用新案登録請求の範囲
【補正対象項目名】全文
【補正方法】変更
【補正の内容】
【実用新案登録請求の範囲】
【請求項１】
重り部材と、この重り部材の周囲に一体化されるボディー部とを備えたカジノチップであって、
前記ボディー部が、合成樹脂から成形されていると共に、前記ボディー部の上面及び下面の表面粗さＲａが１〜５μｍの範囲であることを特徴とするカジノチップ。
【請求項２】
前記表面粗さＲａが２〜４μｍの範囲である請求項１記載のカジノチップ。
【請求項３】
前記重り部材は、厚み方向に貫通する複数の貫通穴を有する板状に形成されており、
前記合成樹脂が、前記重り部材の表面、裏面及び周面を被覆していると共に、前記重り部材の貫通穴内にも充填されている請求項１又は２記載のカジノチップ。
【請求項４】
前記ボディー部を構成する前記合成樹脂が、熱可塑性樹脂４０〜６０重量％、無機充填剤３０〜６０重量％を含有してなる熱可塑性樹脂組成物である請求項１〜３のいずれか１に記載のカジノチップ。
【請求項５】
さらに、識別手段を有する請求項１〜４のいずれか１に記載のカジノチップ。
【請求項６】
前記ボディー部又は前記ボディー部の外面に設けられる被覆シールが、蛍光材料を含んでおり、前記蛍光材料が前記識別手段として用いられる請求項５記載のカジノチップ。
【請求項７】
前記ボディー部又は前記ボディー部の外面に設けられる被覆シールが、示温材料を含んでおり、前記示温材料が前記識別手段として用いられる請求項５記載のカジノチップ。
【請求項８】
請求項６記載のカジノチップを洗浄する洗浄部を有するカジノチップの洗浄装置であって、
適宜位置に設けられた、所定の蛍光材料に反応する光を照射する照射部と、
洗浄対象の前記カジノチップが、前記照射部からの照射光に反応して発光するか否かを判定する判定手段と
を有することを特徴とするカジノチップの洗浄装置。
【請求項９】
請求項７記載のカジノチップを洗浄する洗浄部を有するカジノチップの洗浄装置であって、
前記洗浄部に、所定の示温材料を変色させることができる所定以上の温度の洗浄水を供給する温水供給手段と、
洗浄対象の前記カジノチップが、前記洗浄水によって加温されて変色するか否かを判定する判定手段と
を有することを特徴とするカジノチップの洗浄装置。